(57)【特許請求の範囲】
【請求項１】
商用系統の受電点において計測された無効電力に基づいて、互いに容量が異なる複数の進相コンデンサを前記受電点の負荷側において選択的に投入及び開放する制御を行う進相コンデンサ制御装置であって、
前記無効電力と、当該無効電力が得られた際に投入されていた前記進相コンデンサの容量との差分である無効電力負荷の変化実績に対して統計処理を行う変動統計処理部と、
現在の前記無効電力負荷と、前記変動統計処理部での前記統計処理の結果とに基づいて、現在から所定時間経過する将来までの最大の前記無効電力負荷たる最大無効電力負荷を予測する最大負荷予測部と、
前記最大負荷予測部で予測した前記最大無効電力負荷を補償可能な前記複数の進相コンデンサの投入及び開放の組合せを決定する投入決定部と、
前記投入決定部で決定した組合せに基づいて、前記複数の進相コンデンサを投入及び開放する制御を行う制御部と
を備える、進相コンデンサ制御装置。
【請求項２】
請求項１に記載の進相コンデンサ制御装置であって、
前記無効電力負荷の前記変化実績は、現在から所定期間前の過去時点での前記無効電力負荷と、当該過去時点から現在までの最大の前記無効電力負荷との差として定義される前記所定期間ごとの変動幅を含み、
前記変動統計処理部は、
前記変動幅の平均及び標準偏差を求める統計処理を行い、
前記最大負荷予測部は、前記現在の無効電力負荷、前記平均及び前記標準偏差から、式（１）に基づいて、前記最大無効電力負荷を予測する、進相コンデンサ制御装置。
最大無効電力負荷＝（現在の無効電力負荷）＋（平均）＋α×（標準偏差）…（１）
ただし、αは１以上の任意の係数
【請求項３】
請求項１または請求項２に記載の進相コンデンサ制御装置であって、
前記変動統計処理部での前記統計処理の結果を、時間帯別及び前記無効電力負荷のレベル別に記憶する負荷変動データベースをさらに備え、
前記最大負荷予測部は、
現在の時間帯及び前記現在の無効電力負荷のレベルに対応する前記負荷変動データベースに記憶された前記統計処理の結果を、最新の統計処理の結果として取得し、当該最新の統計処理の結果と、前記現在の無効電力負荷とから前記最大無効電力負荷を予測する、進相コンデンサ制御装置。
【請求項４】
請求項１または請求項２に記載の進相コンデンサ制御装置であって、
前記変動統計処理部での前記統計処理の結果を、時間帯別及び前記無効電力負荷のレベル別に記憶する負荷変動データベースをさらに備え、
前記最大負荷予測部は、
現在の時間帯及び前記現在の無効電力負荷のレベルに対応する前記負荷変動データベースに記憶された前記統計処理の結果を、最新の統計処理の結果として取得し、当該最新の統計処理の結果と、前記現在の無効電力負荷とから前記最大無効電力負荷を予測し、
現在の前記無効電力負荷と、現在から前記所定期間前の第１時点の前記無効電力負荷との第１差分が所定値以上であるかを検出するともに、当該第１時点の前記無効電力負荷と、前記第１時点から前記所定期間前の第２時点の前記無効電力負荷との第２差分が前記所定値以上であるかを検出する負荷変動初動検出部をさらに備え、
前記負荷変動初動検出部にて前記第１差分が前記所定値以上でかつ前記第２差分が前記所定値よりも小さいことを検出した場合には、前記最大負荷予測部が前記最新の統計処理の結果と前記現在の無効電力負荷とから前記最大無効電力負荷を予測するとともに、前記投入決定部及び前記制御部が動作し、
前記負荷変動初動検出部にて前記第１差分が前記所定値よりも小さいことを検出した場合には、前記投入決定部が前記現在の無効電力負荷を補償可能な前記複数の進相コンデンサの投入及び開放の組合せを決定するとともに、前記制御部が当該組合せに基づいて、前記複数の進相コンデンサを投入及び開放する、進相コンデンサ制御装置。
【請求項５】
請求項１乃至請求項４のいずれかに記載の進相コンデンサ制御装置と、
前記受電点での前記無効電力を計測する無効電力計測器と、
前記複数の進相コンデンサと
を備え、
前記進相コンデンサには、
前記制御部の制御に応じて、前記進相コンデンサを投入及び開放するための開閉を行う開閉器が設けられている、力率調整器。
【発明の詳細な説明】
【技術分野】
【０００１】
本発明は、商用系統の受電点における無効電力負荷を補償する進相コンデンサ制御装置及び力率調整器に関するものである。
【背景技術】
【０００２】
高圧系統ならびに特高系統などの商用系統（商用電力系統）から受電する需要家には、商用系統の受電点における力率の遅れを進み方向に進めるほど、つまり有効電力を１００％に近づけるほど、電力使用の基本料金が安くなる力率割引制度が用意されている。そこで多くの需要家は、受電点の力率の遅れを進み方向に進めて補償する（改善する）ために、需要家構内系統に進相コンデンサを設置している。
【０００３】
しかしながら、無効電力負荷（受電点での無効電力と、進相コンデンサの容量との差分）が大きくなる重負荷時において力率が１００％前後となるように、進相コンデンサを常時接続して力率を補償する構成では、無効電力負荷が小さくなる軽負荷時には必要以上に進相コンデンサが投入される過補償となり、力率が極端に進むことになる。したがって、このような補償を行う構成では、需要家構内系統や商用系統の電力損失を増加させるとともに、系統電圧を不要に上昇させるなどの弊害が生じることがある。
【０００４】
そこで、重負荷時及び軽負荷時のいずれであっても、受電点の力率を１００％近くに維持する一般的な対策として、自動的に進相コンデンサを投入及び開放する制御を行う進相コンデンサ制御装置を備える、力率を調整する力率調整器を実現している。
【０００５】
進相コンデンサ制御装置で一般的に用いられている進相コンデンサの制御ロジックは、例えば特許文献１に記載されている。具体的には、計測された受電点での無効電力負荷が、事前に設定された投入点より遅れ方向（つまり進相コンデンサによる無効電力補償が不足している状態）となった時点で進相コンデンサの投入量を増やす。進相コンデンサが複数ある場合には、無効電力負荷分を補償するのに必要十分な進相コンデンサの組合せを選択し、選択した進相コンデンサを投入し、かつ、それ以外の進相コンデンサを開放する制御を実施する。
【０００６】
例えば、一方が２０ｋＶｒであり、他方が５０ｋＶａｒである２つの進相コンデンサを有する構成を想定すると、進相コンデンサの投入可能な組合せとしては、０ｋＶａｒ、２０ｋＶａｒ、５０ｋＶａｒ、７０ｋＶａｒの４パターンが考えられる。この構成において無効電力が０ｋＶａｒから徐々に６０ｋＶａｒまで増加する場合には、（１）いずれも開放→（２）２０ｋＶａｒ投入→（３）２０ｋＶａｒ開放かつ５０ｋＶａｒ投入→（４）５０ｋＶａｒ投入維持し２０ｋＶａｒ再投入（計７０ｋＶａｒ）という順に制御される。
【０００７】
逆に、無効電力負荷が事前に設定された遮断点より進み方向（つまり進相コンデンサによる無効電力補償が過剰となっている状態）となった時点で進相コンデンサの投入量を減らす。この場合も、進相コンデンサが複数ある場合には、無効電力負荷分を補償するのに必要十分な組合せを選択し、選択した進相コンデンサを投入し、かつ、それ以外の進相コンデンサを開放する制御を実施する。
【先行技術文献】
【特許文献】
【０００８】
【特許文献１】特開平６−４１５９号公報
【発明の概要】
【発明が解決しようとする課題】
【０００９】
しかし、以上のような制御ロジックを行うと、無効電力負荷の変動が大きい場合には、上述の２０ｋＶａｒの進相コンデンサのように進相コンデンサの投入及び開放制御が多発し、進相コンデンサ本体や、その開閉器の寿命低下とつながる。それを避けるための対策として、所定時間の動作時限を設定し、投入点より遅れの状態、または、遮断点より進みの状態が動作時限以上継続しない限り、投入・開放の切り替え制御を実施しないことが考えられる。しかし、この対策では、特に投入点より遅れの状態が少なくとも動作時限の間は継続することから、その間の力率を補償できないという問題が残る。
【００１０】
また、進相コンデンサを一旦開放すると、コンデンサ内部の充電電力が自然に放電しきるまでの数分間は、再投入できないという制約がある。そのため、上述の例において（３）から（４）に移行する場合には、２０ｋＶａｒの進相コンデンサが開放されてから放電しきるまでの数分間は再投入することができない。したがって、無効電力負荷の増加が急激である場合には、すぐに進行コンデンサを投入することができないことから、その時間において力率を補償できないという問題が生じる。
【００１１】
そこで、本発明は、上記のような問題点を鑑みてなされたものであり、進相コンデンサの制御の頻度を抑制するとともに、力率を適切に補償可能な技術を提供することを目的とする。
【課題を解決するための手段】
【００１２】
本発明に係る進相コンデンサ制御装置は、商用系統の受電点において計測された無効電力に基づいて、互いに容量が異なる複数の進相コンデンサを前記受電点の負荷側において選択的に投入及び開放する制御を行う進相コンデンサ制御装置であって、前記無効電力と、当該無効電力が得られた際に投入されていた前記進相コンデンサの容量との差分である無効電力負荷の変化実績に対して統計処理を行う変動統計処理部を備える。また、前記進相コンデンサ制御装置は、現在の前記無効電力負荷と、前記変動統計処理部での前記統計処理の結果とに基づいて、現在から所定時間経過する将来までの最大の前記無効電力負荷たる最大無効電力負荷を予測する最大負荷予測部と、前記最大負荷予測部で予測した前記最大無効電力負荷を補償可能な前記複数の進相コンデンサの投入及び開放の組合せを決定する投入決定部と、前記投入決定部で決定した組合せに基づいて、前記複数の進相コンデンサを投入及び開放する制御を行う制御部とを備える。
【発明の効果】
【００１３】
本発明によれば、所定期間の時間幅で補償すべき最大無効電力負荷を予測し、それを補償するように進相コンデンサの投入及び開放を制御する。したがって、無効電力負荷が急激に増加する場合に、途中段階の投入及び開放の組合せを経由することなく、所望の投入及び開放の組合せで制御するため、進相コンデンサの制御の頻度を抑制することができる。また、それに伴い、進相コンデンサを開放する頻度を抑制することができることから、進相コンデンサが放電しきるまでの待ち時間が生じる頻度を抑制することができる。したがって、力率を適切に補償することができる。
【図面の簡単な説明】
【００１４】
【図１】実施の形態１に係る力率調整器の構成を示す図である。
【図２】無効電力負荷とその最大変動幅との関係を示す図である。
【図３】実施の形態１に係る負荷算出部及び負荷変動算出部の処理を示すフローチャートである。
【図４】実施の形態１に係る変動統計処理部の処理を示すフローチャートである。
【図５】実施の形態１に係る最大負荷予測部、投入決定部及び制御部の処理を示すフローチャートである。
【図６】実施の形態１に係る無効電力負荷の範囲と、複数の進相コンデンサの組合せとの関係を示す図である。
【図７】実施の形態２に係る力率調整器の構成を示す図である。
【図８】実施の形態２に係る力率調整器の処理を示すフローチャートである。
【図９】実施の形態２に係る力率調整器の動作を示す図である。
【発明を実施するための形態】
【００１５】
＜実施の形態１＞
図１は、本発明の実施の形態１に係る力率調整器１００の構成を示す図である。この図に示すように、力率調整器１００は、進相コンデンサ制御装置１と、商用系統の受電点２での無効電力（以下「受電点無効電力」と呼ぶこともある）を計測する無効電力計測器３と、互いに容量が異なる複数（ここでは２つ）の進相コンデンサ４とを備えている。
【００１６】
複数の進相コンデンサ４は、受電点無効電力をキャンセルして、受電点２での力率を補償する（改善する）ための設備であり、受電点２の負荷（構内負荷）側に延設された需要化構内系統５において選択的に投入及び開放される。なお、本実施の形態では、進相コンデンサ４は、通常の進相コンデンサと同様、図１に示すように受電点２近傍の地点（ＣＴ／ＰＴ）、もしくは負荷側にある変圧器（図示しない）の二次側において投入及び開放されるように配置される。複数の進相コンデンサ４には、進相コンデンサ制御装置１（制御部１８）の制御に応じて、複数の進相コンデンサ４を投入及び開放するための開閉を行う開閉器４ａがそれぞれ設けられている。
【００１７】
進相コンデンサ制御装置１は、無効電力計測器３で計測された受電点無効電力に基づいて、複数の開閉器４ａの開閉を制御することにより、複数の進相コンデンサ４を選択的に投入及び開放する制御を行う。本実施の形態に係る進相コンデンサ制御装置１は、進相コンデンサＤＢ（データベース）１１と、負荷算出部１２と、負荷変動算出部１３と、負荷変動ＤＢ（データベース）１４と、変動統計処理部１５と、最大負荷予測部１６と、投入決定部１７と、制御部１８とを備えている。次に、この進相コンデンサ制御装置１の各構成要素について説明する。
【００１８】
進相コンデンサＤＢ１１は、設置されている各進相コンデンサ４のそれぞれの容量を記憶するとともに、複数の進相コンデンサ４に関して現在投入及び開放されている進相コンデンサ４の組合せを記憶する。
【００１９】
負荷算出部１２は、進相コンデンサＤＢ１１に記憶された情報に基づいて、現在投入中の進相コンデンサ４の合計容量を算出する。そして、負荷算出部１２は、無効電力計測器３によって計測された受電点無効電力から、当該合計容量を差し引く減算を行うことにより、無効電力負荷を求める。
【００２０】
負荷変動算出部１３は、無効電力負荷の変化実績を求める。
【００２１】
図２は、負荷変動算出部１３が求める変動実績を説明するための図である。本実施の形態において負荷変動算出部１３が求める変化実績は、図２に示すように、現在ｔから所定期間である一定期間Ｔ１前の過去時点（ｔ−Ｔ１）での無効電力負荷Ｑ（ｔ−Ｔ１）と、当該過去時点（ｔ−Ｔ１）から現在ｔまでの最大の無効電力負荷Ｑｐｍａｘとの差として定義される変動幅である。以下の説明では、この変動幅を「最大変動幅」と呼ぶこともある。負荷変動算出部１３は、当該最大変動幅を一定期間Ｔ１ごとに求める。なお、一定期間Ｔ１は、例えば数分から数十分とする。
【００２２】
負荷変動ＤＢ１４は、負荷変動算出部１３で求めた無効電力負荷の最大変動幅を、時間帯別及び無効電力負荷のレベル別に区分して、過去一定期間Ｔ２（Ｔ２はＴ１より長い期間であり、例えば１年）分記憶する。つまり、負荷変動ＤＢ１４は、複数の最大変動幅を記憶する。
【００２３】
なお、ここでの時間帯は、例えば１日を１時間刻みで分けた２４時間帯、曜日単位で分けた時間帯、４８時間帯、あるいは平日単位及び休日単位で分けた時間帯などが考えられる。また、無効電力負荷のレベル（以下略して「レベル」）は、例えば、設備容量を１００％とし、１０％刻みで分けた１０段階のレベルなどが考えられる。
【００２４】
変動統計処理部１５は、負荷変動ＤＢ１４に記憶された一定期間Ｔ２分の複数の最大変動幅に対して統計処理を行う。本実施の形態では、変動統計処理部１５は、無効電力負荷の最大変化幅の平均Ｑａｖｒ及び標準偏差Ｑｓｔｄを求める統計処理を時間帯別及びレベル別に行い、求めた平均Ｑａｖｒ及び標準偏差Ｑｓｔｄを、時間帯別及びレベル別に区分して負荷変動ＤＢ１４に記憶する。換言すれば、負荷変動ＤＢ１４は、最大変動幅だけでなく、変動統計処理部１５での統計処理の結果を、時間帯別及びレベル別に区分して記憶している。
【００２５】
最大負荷予測部１６は、現在の無効電力負荷と、負荷変動ＤＢ１４に記憶されている、変動統計処理部１５で求められた統計処理の結果とに基づいて、現在ｔから所定時間（ここでは上述の一定期間Ｔ１と同じ）経過する将来までに生じ得る最大の無効電力負荷たる最大無効電力負荷Ｑｆｍａｘを予測する。ここでは、最大負荷予測部１６は、現在の無効電力負荷Ｑ（ｔ）、平均Ｑａｖｒ及び標準偏差Ｑｓｔｄから、次式（１）に基づいて、最大無効電力負荷Ｑｆｍａｘ（ｔ＋Ｔ１）を予測する。
【００２６】
Ｑｆｍａｘ（ｔ＋Ｔ１）＝Ｑ（ｔ）＋Ｑａｖｒ＋α×Ｑｓｔｄ…（１）
ただし、この式（１）において、αは１以上の任意の係数である。
【００２７】
投入決定部１７は、最大負荷予測部１６で予測した最大無効電力負荷Ｑｆｍａｘ（ｔ＋Ｔ１）を補償可能な、複数の進相コンデンサ４の投入及び開放の最適な組合せを決定する。ここでは、投入決定部１７は、進相コンデンサＤＢ１１に記憶されている各進相コンデンサ４のそれぞれの容量に基づいて当該組合せを決定する。そして、投入決定部１７は、決定した組合せを進相コンデンサＤＢ１１に記憶する。ここで記憶された組合せは、制御部１８が次に説明する動作を行った後に、現在の組合せとして用いられる。
【００２８】
制御部１８は、投入決定部１７で決定した組合せに基づいて、複数の開閉器４ａの開閉を制御することにより、複数の進相コンデンサ４を選択的に投入及び開放する制御を行う。ここでは、制御部１８は、進相コンデンサＤＢ１１に記憶されている現在の投入及び開放の組合せと、投入決定部１７で決定した投入及び開放の組合せとの差異を抽出し、当該差異に基づいて当該制御を行う。
【００２９】
次に、進相コンデンサ制御装置１における主要な構成要素での処理について説明する。
【００３０】
図３は、進相コンデンサ制御装置１における負荷算出部１２及び負荷変動算出部１３の処理を示すフローチャートである。なお、この処理は、例えば、１秒単位などの定周期で実施される。
【００３１】
まず、ステップＳ１にて、負荷算出部１２は、無効電力計測器３から受電点無効電力の計測値を取り込む。ステップＳ２にて、負荷算出部１２は、進相コンデンサＤＢ１１から、複数の進相コンデンサ４の容量と、それらの現在の投入及び開放の組合せとを取得し、現在投入中の進相コンデンサ４の合計容量を算出する。そして、負荷算出部１２は、ステップＳ１で取得した受電点無効電力と、算出した合計容量との差分を、無効電力負荷として算出する。
【００３２】
ステップＳ３にて、負荷算出部１３は、算出した無効電力負荷から、図２に示した一定期間Ｔ１ごとの最大変動幅（ここではプラス方向の最大変動幅）を求める。そして、ステップＳ４にて、負荷算出部１３は、ステップＳ３で求めた最大変動幅を負荷変動ＤＢ１４に時間帯別及びレベル別に記録する。
【００３３】
図４は、進相コンデンサ制御装置１における変動統計処理部１５の処理を示すフローチャートである。なお、この処理は、例えば、１ヶ月単位などの定周期で実施される。
【００３４】
まず、ステップＳ１１にて、変動統計処理部１５は、負荷変動ＤＢ１４に記憶された一定期間Ｔ２分の複数の最大変動幅を、時間帯別及びレベル別に取得する。変動統計処理部１５は、ステップＳ１２にて、取得した最大変動幅の平均Ｑａｖｒ及び標準偏差Ｑｓｔｄを時間帯別及びレベル別に求め、ステップＳ１３にて、これらを時間帯別及びレベル別に負荷変動ＤＢ１４に記録する。
【００３５】
図５は、進相コンデンサ制御装置１における最大負荷予測部１６、投入決定部１７及び制御部１８の処理を示すフローチャートである。なお、この処理は、例えば、１秒単位などの定周期で実施される。
【００３６】
まず、ステップＳ２１にて、最大負荷予測部１６は、上述のステップＳ２に係る現在の無効電力負荷Ｑ（ｔ）を取得する。ステップＳ２２にて、最大負荷予測部１６は、現在の時間帯及び現在の無効電力負荷Ｑ（ｔ）のレベルに対応する、負荷変動ＤＢ１４に記憶された統計処理の結果（最大変動幅の平均Ｑａｖｒ及び標準偏差Ｑｓｔｄ）を、最新の統計処理の結果（最新の最大変動幅の平均Ｑａｖｒ及び標準偏差Ｑｓｔｄ）として取得する。
【００３７】
ステップＳ２３にて、最大負荷予測部１６は、ステップＳ２に係る現在の無効電力負荷Ｑ（ｔ）と、ステップＳ２２に係る最新の平均Ｑａｖｒ及び標準偏差Ｑｓｔｄとから、上述の式（１）に基づいて、現在ｔから一定期間Ｔ１経過する将来（ｔ＋Ｔ１）までの間における最大無効電力負荷Ｑｆｍａｘ（ｔ＋Ｔ１）を予測する。
【００３８】
ステップＳ２４にて、投入決定部１７は、予測した最大無効電力負荷Ｑｆｍａｘ（ｔ＋Ｔ１）を補償するのに必要十分な複数の進相コンデンサ４の投入及び開放の組合せを、各進相コンデンサ４のそれぞれの容量に基づいて決定する。例えば、図６に示すように、補償すべき無効電力負荷の範囲ごとに、投入すべき複数の進相コンデンサ４の組合せをテーブル式に予め登録しておき、そのテーブルを参照することによって、上述の組合せを決定すればよい。
【００３９】
ステップＳ２５にて、制御部１８は、現在の複数の進相コンデンサ４の投入及び開放の組合せを進相コンデンサＤＢ１１から取得する。そして、ステップＳ２６にて、制御部１８は、取得した現在の投入及び開放の組合せと、ステップＳ２４で決定した投入及び開放の組合せとを比較して、新たに投入及び開放すべき進相コンデンサ４を抽出する。そして、制御部１８は、当該進相コンデンサ４の開閉器４ａに対して入り切り指令（制御指令）を送出する。
【００４０】
以上のような本実施の形態に係る進相コンデンサ制御装置１及び力率調整器１００によれば、一定期間Ｔ１の時間幅で補償すべき最大無効電力負荷を予測し、それを補償するように進相コンデンサ４の投入及び開放を制御する。したがって、無効電力負荷が急激に増加する場合に、途中段階の投入及び開放の組合せを経由することなく、所望の投入及び開放の組合せで制御するため、進相コンデンサ４の制御の頻度を抑制することができる。よって、進相コンデンサ４等の寿命が短くなるのを抑制することができる。また、それに伴い、進相コンデンサ４を開放する頻度を抑制することができることから、進相コンデンサ４が放電しきるまでの待ち時間が生じる頻度を抑制することができる。したがって、力率の補償を迅速に行うことができ、力率を適切に補償することができる。
【００４１】
また、本実施の形態によれば、最大負荷予測部１６は、上式（１）に基づいて、最大無効電力負荷Ｑｆｍａｘを予測する。したがって、αを任意の数値に設定することにより、その予測精度を調整することができる。例えば、α＝２とすれば、実際の無効電力負荷が、予測した最大無効電力負荷Ｑｆｍａｘを超える確率を、統計的に概ね２．５％とすることができる。
【００４２】
また、本実施の形態によれば、最大負荷予測部１６は、現在の無効電力負荷Ｑ（ｔ）と、現在の時間帯及び現在の無効電力負荷のレベルに対応する負荷変動ＤＢ１４に記憶された統計処理の結果とに基づいて、最大無効電力負荷Ｑｆｍａｘを予測する。したがって、現在の時間帯及びレベルを考慮して最大無効電力負荷Ｑｆｍａｘを予測することができるため、最大無効電力負荷Ｑｆｍａｘの予測精度を向上させることができる。
【００４３】
なお、以上の説明では、負荷算出部１３がプラス方向の最大変動幅を求める場合について説明したが、同様にして、マイナス方向の最大変動幅を求めてもよい。
【００４４】
＜実施の形態２＞
図７は、本発明の実施の形態２に係る力率調整器１００の構成を示す図である。以下、本実施の形態に係る力率調整器１００（進相コンデンサ制御装置１）の説明において、実施の形態１で説明した構成要素と類似するものについては同じ符号を付して説明を省略する。
【００４５】
この図に示すように、本実施の形態に係る力率調整器１００（進相コンデンサ制御装置１）は、実施の形態１に係る力率調整器１００（進相コンデンサ制御装置１）に、負荷変動初動検出部２１が追加されたものとなっている。この負荷変動初動検出部２１は、現在ｔの無効電力負荷Ｑ（ｔ）を、負荷算出部１２から取得する。
【００４６】
また、負荷変動初動検出部２１は、現在ｔから一定期間Ｔ１（例えば１分）前の第１時点（ｔ−Ｔ１）での過去の無効電力負荷Ｑ（ｔ−Ｔ１）と、第１時点（ｔ−Ｔ１）から一定期間Ｔ１前の第２時点（ｔ−２×Ｔ１）での過去の無効電力負荷Ｑ（ｔ−２×Ｔ１）とを、負荷変動ＤＢ１４から取得する。そして、負荷変動初動検出部２１は、無効電力負荷Ｑ（ｔ）と無効電力負荷Ｑ（ｔ−Ｔ１）との第１差分が予め設定された指定値（所定値）以上であるかを検出するとともに、無効電力負荷Ｑ（ｔ−Ｔ１）と無効電力負荷Ｑ（ｔ−２×Ｔ１）との第２差分が上述の指定値以上であるかを検出する。
【００４７】
図８は、本実施の形態に係る進相コンデンサ制御装置１における負荷変動初動検出部２１、最大負荷予測部１６、投入決定部１７及び制御部１８の処理を示すフローチャートである。なお、この処理は、例えば、１秒単位などの定周期で実施される。
【００４８】
まず、ステップＳ３１にて、負荷変動初動検出部２１は、無効電力計測器３からの現在の受電点無効電力を取得するとともに、現在の無効電力負荷Ｑ（ｔ）を負荷算出部１２から取得する。ステップＳ３２にて、負荷変動初動検出部２１は、受電点無効電力が遅れの状態、すなわち進相コンデンサ４による無効電力負荷の補償が十分で有るか否かを判定する。
【００４９】
ステップＳ３２にて補償が十分であると判定された場合にはステップＳ３３に進み、ステップＳ３３にて、投入決定部１７が、現在の無効電力負荷Ｑ（ｔ）を補償可能な複数の進相コンデンサ４の投入及び開放の組合せを決定する。その後、ステップＳ４０に進む。
【００５０】
ステップＳ３２にて補償が不十分であると判定された場合にはステップＳ３４に進み、ステップＳ３４にて、負荷変動初動検出部２１は、過去の無効電力負荷Ｑ（ｔ−Ｔ１），Ｑ（ｔ−２×Ｔ１）を負荷変動ＤＢ１４から取得する。
【００５１】
ステップＳ３５にて、負荷変動初動検出部２１が、無効電力負荷Ｑ（ｔ）と無効電力負荷Ｑ（ｔ−Ｔ１）との第１差分が指定値よりも小さいことを検出した場合には、上述のステップＳ３３に進む。つまり、この場合には、無効電力負荷の変動が小さい、または、無効電力負荷の変動が終了したとして、最大無効電力負荷Ｑｆｍａｘの予測を行わずに、投入決定部１７が、現在の無効電力負荷を補償可能な複数の進相コンデンサ４の投入及び開放の組合せを決定する。その後、ステップＳ４０に進む。
【００５２】
ステップＳ３５にて、負荷変動初動検出部２１が、当該第１差分が指定値以上であることを検出した場合には、ステップＳ３６に進む。ステップＳ３６にて、負荷変動初動検出部２１が、無効電力負荷Ｑ（ｔ−Ｔ１）と無効電力負荷Ｑ（ｔ−２×Ｔ１）との第２差分が指定値以上であることを検出した場合には、前回の無効電力負荷の変動が継続しているとして、制御は実施せずに終了する。
【００５３】
ステップＳ３６にて、負荷変動初動検出部２１が、当該第２差分が指定値よりも小さいことを検出した場合には、現在において無効電力負荷での大きな変動が開始したとして、ステップＳ３７〜Ｓ３９にて、実施の形態１で説明したステップＳ２２〜Ｓ２４と同様の処理を行う。すなわち、ステップＳ３７にて、最大負荷予測部１６は、現在の時間帯及び現在の無効電力負荷Ｑ（ｔ）のレベルに対応する、負荷変動ＤＢ１４に記憶された最大変動幅の平均Ｑａｖｒ及び標準偏差Ｑｓｔｄを、最新の最大変動幅の平均Ｑａｖｒ及び標準偏差Ｑｓｔｄとして取得する。
【００５４】
ステップ３８にて、最大負荷予測部１６は、現在の無効電力負荷Ｑ（ｔ）と、最新の平均Ｑａｖｒ及び標準偏差Ｑｓｔｄとから、上述の式（１）に基づいて最大無効電力負荷Ｑｆｍａｘを予測する。ステップＳ３９にて、投入決定部１７は、予測した最大無効電力負荷Ｑｆｍａｘを補償するのに必要十分な複数の進相コンデンサ４の投入及び開放の組合せを決定する。
【００５５】
ステップＳ４０にて、制御部１８は、現在の複数の進相コンデンサ４の投入及び開放の組合せを進相コンデンサＤＢ１１から取得する。そして、ステップＳ４１にて、制御部１８は、ステップＳ４０で取得した現在の投入及び開放の組合せと、ステップＳ３３またはＳ３９で決定した投入及び開放の組合せとを比較して、新たに投入及び開放すべき進相コンデンサ４を抽出する。そして、制御部１８は、当該進相コンデンサ４の開閉器４ａに対して入り切り指令（制御指令）を送出する。
【００５６】
以上のような本実施の形態に係る進相コンデンサ制御装置１及び力率調整器１００によれば、図９に示すように、現在ｔが、無効電力負荷の変動が小さいｔ１以前である場合には、そのときの無効電力負荷を補償する。また、現在ｔが、無効電力負荷の変動が大きいｔ１からｔ２までの間にある場合には、最大無効電力負荷Ｑｆｍａｘを予測し、当該最大無効電力負荷Ｑｆｍａｘを補償する。つまり、この場合には実施の形態１と同様に、進相コンデンサ４の制御の頻度を抑制することができるとともに、力率の補償を迅速に行うことができる。また、現在ｔが、無効電力負荷の変動が小さいｔ２以降である場合には、そのときの無効電力負荷を補償する。以上のように本実施の形態によれば、無効電力負荷が急激に変化した場合にのみ、最大無効電力負荷Ｑｆｍａｘを予測して複数の進相コンデンサ４の投入及び開放を制御することから、力率をより適切に補償することができる。
【００５７】
なお、以上の説明では、負荷変動初動検出部２１が現在の無効電力負荷Ｑ（ｔ）を負荷算出部１２から取得する処理をステップＳ３４で行ったが、これに限ったものではなく、ステップＳ３１で行ってもよい。
【符号の説明】
【００５８】
１  進相コンデンサ制御装置、２  受電点、３  無効電力計測器、４  進相コンデンサ、４ａ  開閉器、１４  負荷変動ＤＢ、１５  変動統計処理部、１６  最大負荷予測部、１７  投入決定部、１８  制御部、２１  負荷変動初動検出部、１００  力率調整器。
【図１】
0005583094.tif 000002
【図２】
0005583094.tif 000003
【図３】
0005583094.tif 000004
【図４】
0005583094.tif 000005
【図５】
0005583094.tif 000006
【図６】
0005583094.tif 000007
【図７】
0005583094.tif 000008
【図８】
0005583094.tif 000009
【図９】
0005583094.tif 000010